(57)【要約】  体位変更時の被介護者の体への負担を極力抑制しつつ、被介護者の床擦れを防止することができる介護用ベッドを提供すること。長手方向寸法L及び幅方向寸法Wを有する介護用ベッド1であり、被介護者が横臥するベッド上面2を形成する上面形成部材3と、上面形成部材3の少なくとも一部を移動させるための駆動機構6,7と、を備える。ベッド上面2は、幅方向において下向きに湾曲した湾曲面を含む。
2014098247.tif 000002
【特許請求の範囲】
【請求項１】
長手方向の寸法及び幅方向の寸法を有する介護用ベッドにおいて、
被介護者が横臥するベッド上面を形成する上面形成部材と、
前記上面形成部材の少なくとも一部を移動させるための駆動機構と、を備え、
前記ベッド上面は、前記幅方向において下向きに湾曲した湾曲面を含む、介護用ベッド。
【請求項２】
前記駆動機構は、前記湾曲面に沿って前記上面形成部材の前記少なくとも一部を移動させるように構成されている、請求項１記載の介護用ベッド。
【請求項３】
前記湾曲面は、前記長手方向に沿って延びる中心軸線を持つ仮想の円筒面の一部を構成する円弧面である、請求項１又は２に記載の介護用ベッド。
【請求項４】
前記駆動機構は、前記上面形成部材の前記少なくとも一部を水平方向に移動させるように構成されている、請求項１記載の介護用ベッド。
【請求項５】
前記上面形成部材の前記少なくとも一部は、前記幅方向に延びる複数の可動細長片を前記長手方向に並置して構成されている、請求項１乃至４のいずれか一項に記載の介護用ベッド。
【請求項６】
前記駆動機構は、前記複数の可動細長片の少なくとも一部を上下方向に移動させる手段と共に、上方に移動させた前記複数の可動細長片の前記少なくとも一部を、前記湾曲面に沿って又は水平方向に移動させる手段を有する、請求項５記載の介護用ベッド。
【請求項７】
前記複数の可動細長片は、少なくとも２つのグループに分類されており、前記少なくとも２つのグループのそれぞれに属する複数の前記可動細長片を、前記駆動機構によって同時に移動させるように構成されている、請求項５又は６に記載の介護用ベッド。
【請求項８】
前記少なくとも２つのグループのそれぞれは、前記長手方向において一つ置きに配置された複数の前記可動細長片の少なくとも一部によって構成されている、請求項７記載の介護用ベッド。
【請求項９】
前記上面形成部材の前記少なくとも一部は、前記上面形成部材の、前記長手方向における中央部を構成している、請求項１乃至８のいずれか一項に記載の介護用ベッド。
【請求項１０】
前記上面形成部材の、前記長手方向における前記被介護者の足側の部分は、前記長手方向及び前記幅方向の両方向において分割された複数の可動矩形片によって構成されており、前記複数の可動矩形片の少なくとも一部を移動させて前記ベッド上面の一部を隆起させるための追加の駆動機構を有する、請求項１乃至９のいずれか一項に記載の介護用ベッド。
【請求項１１】
前記駆動機構は、ロボットアームの先端部に装着された回転駆動体から回転駆動力が伝達されるように構成されている、請求項１乃至１０のいずれか一項に記載の介護用ベッド。
【請求項１２】
前記駆動機構は、前記回転駆動体に対して選択的かつ分離可能に接続される複数の被回転駆動体を有し、前記複数の被回転駆動体のそれぞれが、前記上面形成部材における互いに異なる移動動作に対応して設置されている、請求項１１記載の介護用ベッド。
【請求項１３】
介護用ベッドの形状変更方法において、
前記介護用ベッドは、
被介護者が横臥するベッド上面を形成し、複数の部分に分割された上面形成部材と、
前記上面形成部材の前記複数の部分の少なくとも一部を移動させるための駆動機構と、を備え、
前記駆動機構は、前記上面形成部材の前記複数の部分の少なくとも一部を所定の順序で移動させて、前記ベッド上面の形状を変化させる、介護用ベッドの形状変更方法。
【請求項１４】
介護用ベッドの形状変更方法において、
前記介護用ベッドは、
被介護者が横臥するベッド上面を形成する上面形成部材と、
前記上面形成部材の少なくとも一部を移動させるための駆動機構と、を備え、
前記駆動機構は、ロボットアームの先端部に装着された回転駆動体から回転駆動力が伝達されるように構成されると共に、前記回転駆動体に対して選択的かつ分離可能に接続される複数の被回転駆動体を有し、前記複数の被回転駆動体のそれぞれが、前記上面形成部材における互いに異なる移動動作に対応して設置されており、
前記回転駆動体によって前記複数の回転駆動体を所定の順序で駆動する、介護用ベッドの形状変更方法。
【発明の詳細な説明】
【技術分野】
【０００１】
本発明は、介護用ベッドおよびその形状変更方法に係り、特に、床擦れ防止のための機能を備えた介護用ベッドおよびその形状変更方法に関する。
【背景技術】
【０００２】
被介護者が長期間にわたる就床を必要とする場合、床擦れを起こし易く、これは被介護者によって大変な苦痛となっている。床擦れは、腰・肩・くるぶしなど、特に骨で突出した部分が体重の圧迫によって血行不順となり、壊死に陥るというものである。【０００３】
床擦れを防止するためには、被介護者の体位を適宜変更させる必要があり、特に被介護者が自分自身で体を動かすことが困難な場合には、介護者が被介護者の腰の下に枕を差し入れるなどして、適宜対応する必要がある。【０００４】
床擦れを防止するための介護者による作業は、重たくなった被介護者の体を動かす必要があり、重労働であって、しかも昼夜を問わず、例えば１、２時間おきに行う必要があるため、介護者にとって多大な負担となっている。また、介護を受ける側にとっても、介護者に重労働を強いることが精神的な負担となりがちである。【０００５】
このような介護者（及び被介護者）の負担を軽減するために、介護用ベッドのベッド上面（就床面）の一部を可動として、人手により、或いは動力を利用して、ベッド上面の可動部を適宜移動させて、被介護者の体位を変更させる技術が提案されている（下記特許文献１−７）。
【先行技術文献】
【特許文献】
【０００６】
【特許文献１】特開平１−２３８８５９号公報
【特許文献２】特開平７−８５２３号公報
【特許文献３】特開平７−３０３６７４号公報
【特許文献４】特開平１１−２３９５２４号公報
【特許文献５】特開平２０００−３２５４０８号公報
【特許文献６】特開２００２−８５４８１号公報
【特許文献７】特開２００４−２２２９０８号公報
【発明の概要】
【発明が解決しようとする課題】
【０００７】
しかしながら、従来提案されている介護用ベッドは、ベッド上面（就床面）が平面となっているため、その一部を例えば隆起させたとしても、被介護者に対して、寝返り動作に近い自然な動きを実現することが困難であった。このため、被介護者に対して、局所的に不自然に強い力が加えられてしまい、被介護者の体に負担を強いることになってしまう。【０００８】
なお、特許文献５について言えば、この文献に記載の介護用ベッドは、被介護者の体位を変更させる際に、被介護者の体の下に敷いてある複数のベルト状の部材の一端を引き上げて、被介護者をやや横向きにするように構成されている。【０００９】
しかしながら、このようにベルト状の部材を吊り上げる構成では、吊り上げベルトの底の部分においてベルト状の部材から被介護者に対して圧迫することになり、局所的に強い力が加えられてしまうので、被介護者の体に余計な負担がかかるという問題が解消されていない。【００１０】
本発明は、上述した従来技術の問題点に鑑みて成されたものであって、体位変更時の被介護者の体への負担を極力抑制しつつ、被介護者の床擦れを防止することができる介護用ベッドおよびその形状変更方法を提供することを目的としている。
【課題を解決するための手段】
【００１１】
上記課題を解決するために、本発明は、長手方向の寸法及び幅方向の寸法を有する介護用ベッドにおいて、被介護者が横臥するベッド上面を形成する上面形成部材と、前記上面形成部材の少なくとも一部を移動させるための駆動機構と、を備え、前記ベッド上面は、前記幅方向において下向きに湾曲した湾曲面を含む、ことを特徴とする。【００１２】
また、好ましくは、前記駆動機構は、前記湾曲面に沿って前記上面形成部材の前記少なくとも一部を移動させるように構成されている。【００１３】
また、好ましくは、前記湾曲面は、前記長手方向に沿って延びる中心軸線を持つ仮想の円筒面の一部を構成する円弧面である。【００１４】
また、好ましくは、前記駆動機構は、前記上面形成部材の前記少なくとも一部を水平方向に移動させるように構成されている。【００１５】
また、好ましくは、前記上面形成部材の前記少なくとも一部は、前記幅方向に延びる複数の可動細長片を前記長手方向に並置して構成されている。【００１６】
また、好ましくは、前記駆動機構は、前記複数の可動細長片の少なくとも一部を上下方向に移動させる手段と共に、上方に移動させた前記複数の可動細長片の前記少なくとも一部を、前記湾曲面に沿って又は水平方向に移動させる手段を有する。【００１７】
また、好ましくは、前記複数の可動細長片は、少なくとも２つのグループに分類されており、前記少なくとも２つのグループのそれぞれに属する複数の前記可動細長片を、前記駆動機構によって同時に移動させるように構成されている。【００１８】
また、好ましくは、前記少なくとも２つのグループのそれぞれは、前記長手方向において一つ置きに配置された複数の前記可動細長片の少なくとも一部によって構成されている。【００１９】
また、好ましくは、前記上面形成部材の前記少なくとも一部は、前記上面形成部材の、前記長手方向における中央部を構成している。【００２０】
また、好ましくは、前記上面形成部材の、前記長手方向における前記被介護者の足側の部分は、前記長手方向及び前記幅方向の両方向において分割された複数の可動矩形片によって構成されており、前記複数の可動矩形片の少なくとも一部を移動させて前記ベッド上面の一部を隆起させるための追加の駆動機構を有する。【００２１】
また、好ましくは、前記駆動機構は、ロボットアームの先端部に装着された回転駆動体から回転駆動力が伝達されるように構成されている。【００２２】
また、好ましくは、前記駆動機構は、前記回転駆動体に対して選択的かつ分離可能に接続される複数の被回転駆動体を有し、前記複数の被回転駆動体のそれぞれが、前記上面形成部材における互いに異なる移動動作に対応して設置されている。【００２３】
上記課題を解決するために、本発明は、介護用ベッドの形状変更方法において、前記介護用ベッドは、被介護者が横臥するベッド上面を形成し、複数の部分に分割された上面形成部材と、前記上面形成部材の前記複数の部分の少なくとも一部を移動させるための駆動機構と、を備え、前記駆動機構は、前記上面形成部材の前記複数の部分の少なくとも一部を所定の順序で移動させて、前記ベッド上面の形状を変化させる、ことを特徴とする。【００２４】
上記課題を解決するために、本発明は、介護用ベッドの形状変更方法において、前記介護用ベッドは、被介護者が横臥するベッド上面を形成する上面形成部材と、前記上面形成部材の少なくとも一部を移動させるための駆動機構と、を備え、前記駆動機構は、ロボットアームの先端部に装着された回転駆動体から回転駆動力が伝達されるように構成されると共に、前記回転駆動体に対して選択的かつ分離可能に接続される複数の被回転駆動体を有し、前記複数の被回転駆動体のそれぞれが、前記上面形成部材における互いに異なる移動動作に対応して設置されており、前記回転駆動体によって前記複数の回転駆動体を所定の順序で駆動する、ことを特徴とする。
【発明の効果】
【００２５】
本発明による介護用ベッドおよびその形状変更方法によれば、寝返り動作に近い自然な動きを実現して、体位変更時の被介護者の体への負担を極力抑制しつつ、床擦れを防止することができる。
【図面の簡単な説明】
【００２６】
【図１】本発明の一実施形態による動力伝達装置を備えた介護用ベッドを示した斜視図。
【図２】図１に示した介護用ベッドの動力伝達装置の各駆動力入力ポートの機能を説明するための側面図。
【図３】図１に示した介護用ベッドを模式的に示した上面図。
【図４】図１に示した介護用ベッドの腰部及び肩部に関する動力伝達装置の駆動機構を説明するための斜視図。
【図５】図４に示した動力伝達装置の駆動機構において上下動用入力回転時の様子を示した斜視図。
【図６】図４に示した動力伝達装置の駆動機構において左右動用入力回転時の様子を示した斜視図。
【図７】図１に示した介護用ベッドの足部領域に関する動力伝達装置の駆動機構を説明するための斜視図。
【図８】図１に示した介護用ベッドの動力伝達装置の駆動力入力ポートに対して回転動力を接続する様子を示した側面図。
【図９】図１に示した介護用ベッドの動力伝達装置の駆動力入力ポートに対して回転動力を接続する様子を示した正面図。
【図１０】図１に示した介護用ベッドの動力伝達装置のロボットアームの内部構造を示した断面図。
【図１１】図１０に示したロボットアームの先端部を拡大して示した断面図。
【図１２】図１に示した介護用ベッドの動力伝達装置において、駆動力入力ポートとロボットアーム先端の回転駆動体とが接続された状態を示した斜視図。
【図１３】図１２に示した介護用ベッドの動力接続部の組立て図。
【図１４】図１２に示した介護用ベッドの動力接続部において接続時のガタ（偏心など）を吸収する様子を示した説明図。
【図１５】図１に示した介護用ベッドの腰部及び肩部に関する動力伝達装置の駆動機構の一変形例を示した斜視図。
【図１６】図１に示した介護用ベッドの動力伝達装置の駆動力入力ポート及びロボットアームの一変形例を示した側面図。
【図１７】図１６に示した駆動力入力ポート及びロボットアームの正面図。
【図１８】図１に示した介護用ベッドの動力伝達装置の動力接続部の一変形例を示した斜視図。
【図１９】図１に示した介護用ベッドの動力伝達装置の動力接続部の一変形例を示した斜視図。
【図２０】図１に示した介護用ベッドの動力伝達装置の一変形例として、１台のロボットによって２台の介護用ベッドの各駆動力入力ポートを駆動するようにした構成を示した断面図。
【発明を実施するための形態】
【００２７】
以下、本発明の一実施形態による動力伝達装置を備えた介護用ベッドおよびその形状変更方法について、図面を参照して説明する。
【００２８】
図１に示したように、本実施形態による介護用ベッド１は、長手方向の寸法Ｌ及び幅方向の寸法Ｗを有している。長手方向寸法Ｌ及び幅方向寸法Ｗは、被介護者が横臥するベッド上面２を形成する上面形成部材３の長手方向寸法及び幅方向寸法に対応している。
【００２９】
上面形成部材３は、ベッド基台４の上方に配置されており、ベッド基台４には、上面形成部材３の少なくとも一部を水平方向に移動させるための駆動機構５が設けられている。
【００３０】
そして、本実施形態による介護用ベッド１においては、ベッド上面２が、全体として、幅方向Ｗにおいて下向きに湾曲した湾曲面で構成されている。この湾曲面は、長手方向に沿って延びる中心軸線を持つ仮想の円筒面の一部を構成する円弧面である。
【００３１】
図１及び図２に示したように、ベッド基台４に設けられた駆動機構５は、ロボットアーム６と、このロボットアームの先端部が選択的に接続される複数の駆動力入力ポート（被回転駆動体）７を備えている。複数の駆動力入力ポート７（７Ａ、７Ｂ、７Ｃ、７Ｄ、７Ｅ）のそれぞれが、後述する上面形成部材３における互いに異なる移動動作に対応している。
【００３２】
図１及び図３に示したように、介護用ベッドの上面形成部材３は、長手方向に沿って、頭部領域８、肩部領域９、腰部領域１０、及び足部領域１１に区分されている。
【００３３】
上面形成部材３の頭部領域８は、一連一体の板状の方形部材１２によって形成されている。
【００３４】
上面形成部材３の長手方向の中央部にあたる肩部領域９及び腰部領域１０は、それぞれ、幅方向に延びる複数の可動細長片１３を長手方向に並置して構成されている。
【００３５】
肩部領域９は、長手方向に沿って一つ置きに配置された複数の可動細長片１３によって構成される肩Ａグループと、肩Ａグループに属する可動細長片１３同士の間に配置された複数の可動細長片１３によって構成される肩Ｂグループとから構成されている。
【００３６】
肩Ａグループに属する複数の可動細長片１３は、駆動機構５によって、上下方向及び水平方向に一体に駆動され、同様に、肩Ｂグループに属する複数の可動細長片１３は、駆動機構５によって、上下方向及び水平方向に一体に駆動される。また、肩Ａグループと肩Ｂグループとは、駆動機構５によって互いに独立に駆動することができる。
【００３７】
また、腰部領域１０は、長手方向に沿って一つ置きに配置された複数の可動細長片１３によって構成される腰Ａグループと、腰Ａグループに属する可動細長片１３同士の間に配置された複数の可動細長片１３によって構成される腰Ｂグループとから構成されている。
【００３８】
腰Ａグループに属する複数の可動細長片１３は、駆動機構５によって、上下方向及び水平方向に一体に駆動され、同様に、腰Ｂグループに属する複数の可動細長片１３は、駆動機構５によって、上下方向及び水平方向に一体に駆動される。また、腰Ａグループと腰Ｂグループとは、駆動機構５によって互いに独立に駆動することができる。
【００３９】
足部領域１１は、右足に対応する部分と左足に対応する部分とから成る。右足に対応する部分は、長手方向に並置された一対の可動矩形片１４によって構成されており、左足に対応する部分も、同じく長手方向に並置された一対の可動矩形片１４によって構成されている。
【００４０】
足部領域１１の右足に対応する部分及び左足に対応する部分は、それぞれ、駆動機構５によって中央の部分が押し上げられて、図１に示したように隆起して山形形状に変形する。これにより、被介護者の右足又は左足を、その膝裏から押し上げて屈曲させることができる。
【００４１】
次に、本実施形態による介護用ベッド１の駆動機構５の内部構造について説明する。
【００４２】
図４に示したように、駆動機構５は、上面形成部材３（の一部）がその上端に設けられた支持基部１５を備えている。なお、図４においては、複数の可動細長片１３から成る上面形成部材３（の一部）を模式的に一体物として示している。
【００４３】
支持基部１５の下端部が、直動支持部材（リニアガイド）１６で支持されており、これにより、支持基部１５は、ベッド左右方向において水平方向に移動可能とされている。支持基部１５を支持する直動支持部材１６は、可動支持板１７の上端に設けられている。可動支持板１７は、上下方向に延設された一対の直動支持部材（リニアガイド）１８によって、上下動可能に支持されている。
【００４４】
可動支持板１７の一方の側端部にはラック１９が上下方向に延設されており、このラック１９にピニオン２０が噛み合っている。このピニオン２０は接続軸２１の一端に設けられており、接続軸２１の他端にはウォームギア２２のホイールが設けられている。このウォームギア２２のホイールは、ウォームギア２２のウォームと噛み合っており、このウォームは、先端部が駆動力入力ポート７を形成する入力軸２３に形成されている。この駆動力入力ポート７は、上面形成部材３を上下動させるための回転動力の入力部である。
【００４５】
支持基部１５の下端部にはラック２４が設けられており、このラック２４にはピニオン２５が噛み合っている。このピニオン２５は接続軸２６の上端に設けられており、接続軸２６の下端にはべベルギア２７が設けられている。このべベルギア２７は、可動支持板１７に回転可能に設けられたべベルギア２８と噛み合っている。
【００４６】
可動支持板１７に設けられたべベルギア２８には、プーリ２９が一体的に形成されており、このプーリ２９にはベルト３０が掛けられている。このベルト３０は、他のプーリ３１に掛けられており、このプーリ３１は接続軸３２の一端に設けられており、接続軸３２の他端にはウォームギア３３のホイールが設けられている。ウォームギア３３のホイールは、ウォームギア３３のウォームに噛み合っている。
【００４７】
ウォームギア３３のウォームが形成された接続軸３４の端部にはピニオン３５が設けられており、このピニオン３５は、上下方向に延設されたラック３６に噛み合っている。このラック３６は、上下方向に延設された直動支持部材（リニアガイド）３７によって上下動可能に支持されている。この直動支持部材３７には、ラック３６と一体的に他のラック３８が上下動可能に支持されており、このラック３８がピニオン３９と噛み合っている。
【００４８】
このピニオン３９は入力軸４０の一端に設けられており、この入力軸の他端は駆動力入力ポート７を形成している。この駆動力入力ポート７は、上面形成部材３を左右方向に水平移動させるための回転動力の入力部である。
【００４９】
次に、介護用ベッド１の上面形成部材３を上下動させる際の動作について、図５を参照して説明する。
【００５０】
上下動用の駆動力入力ポート７Ｂを回転させると、この回転動力がウォームギア２２を介して接続軸２１に伝達される。すると、接続軸２１と一体にピニオン２０が回転し、このピニオン２０の回転により、ラック１９が上下方向に移動する。ラック１９は可動支持板１７に固定されているので、ラック１９と共に可動支持板１７が上下方向に移動する。これにより、支持基部１５と共に上面形成部材３が上下方向に移動する。
【００５１】
なお、可動支持板１７と一体に接続軸３４が上下に移動するので、ラック３６も同時に上下に移動する。このとき、左右動用の駆動力入力ポート７Ｃが回転してしまうが、この左右動用の駆動力入力ポート７Ｃはフリーなので、回転しても問題ない。
【００５２】
また、ウォームギア２２は出力側から回転させることができない構造であるため、上下動用の駆動力入力ポート７Ｂの印加トルクが除去されても、その時の姿勢を保持することができる。
【００５３】
次に、介護用ベッド１の上面形成部材３を左右方向に水平移動させる際の動作について、図６を参照して説明する。
【００５４】
左右動用の駆動力入力ポート７Ｃを回転させると、この回転力がラック３８に伝達され、他方のラック３６と共に上下方向に移動する。ラック３６の上下動によってピニオン３５が回転し、この回転力がウォームギア３３を介してプーリ３１に伝達される。
【００５５】
プーリ３１が回転すると、ベルト３０を介して同時に他方のプーリ２９が回転する。これにより、プーリ２９に一体に設けられたべベルギア２８が回転し、このべベルギア２８に噛み合ったべベルギア２７が回転する。
【００５６】
べベルギア２７が回転すると同時にピニオン２５が回転し、このピニオン２５の回転によりラック２４が左右方向に移動する。その結果、支持基部１５と共に上面形成部材３が左右方向に水平移動する。
【００５７】
なお、ウォームギア３３は出力側から回転させることができない構造であるため、左右動用の駆動力入力ポート７Ｃの印加トルクが除去されても、その時の姿勢を保持することができる。
【００５８】
図７は、足部領域１１を構成する可動矩形片１４を下方から押し上げるための足部用の駆動機構を示している。この足部用の駆動機構においては、足部用の駆動力入力ポート７Ａ（７）を回転させると、この駆動力入力ポート７Ａが先端部に形成された入力軸４１が回転する。
【００５９】
この入力軸４１には、ウォームギア４２を構成するウォームが形成されており、同じくウォームギア４２を構成するホイールに動力が伝達される。ウォームギア４２のホイールは接続軸４３の一端に設けられており、この接続軸４３の他端にはピニオン４４が設けられている。
【００６０】
ピニオン４４はラック４５と噛み合っており、ラック４５は可動支持板１７の側端部に設けられている。可動支持板１７は、上下方向に延設された一対の直動支持部材（リニアガイド）４６によって、上下動可能に支持されている。
【００６１】
ピニオン４４の回転によってラック４５が上下動し、これにより可動支持板１７が上下動する。可動支持板１７の上端部には押上部材４７の下端部が固定されており、この押上部材４７の上端部によって、可動矩形片１４がその下方から押し上げられる。
【００６２】
次に、ロボットアーム６及び駆動力入力ポート７を含んで構成される動力伝達装置５０について説明する。この動力伝達装置５０は、介護用ベッドの駆動機構の一部を構成している。
【００６３】
図８及び図９に示したように、ロボットアーム６は基端部６ａと先端部６ｂを有しており、ロボットアーム６の基端部６ａは、ロボット主軸５１の上端部に装着されている。ロボットアーム６の先端部６ｂには、回転駆動体５２が回転可能に設けられている。
【００６４】
ロボットアーム６は、基端側リンク部材５３及び先端側リンク部材５４を備えており、基端側リンク部材５３の基端部がロボットアームの基端部６ａを構成し、先端側リンク部材５４の先端部がロボットアーム６の先端部６ｂを構成している。基端側リンク部材５３の先端部と先端側リンク部材５４の基端部とが、互いに回転可能に接続されている。
【００６５】
図１０に示したように、ベッド基台４の内部には、ロボット主軸５１用の駆動モータ５５が設けられており、この駆動モータ５５によってロボット主軸５１が、第１軸線Ｌ１周りに回転駆動される。
【００６６】
基端側リンク部材５３の内部には、先端側リンク部材５３用の駆動モータ５６が設けられており、この駆動モータ５６によって先端側リンク部材５４が第２軸線Ｌ２周りに回転駆動される。
【００６７】
先端側リンク部材５４の内部には、回転駆動体５２用の駆動モータ５７が設けられており、この駆動モータ５７によって回転駆動体５２が第３軸線Ｌ３周りに回転駆動される。
【００６８】
なお、第１軸線Ｌ１、第２軸線Ｌ２、及び第３軸線Ｌ３は、互いに平行である。
【００６９】
各駆動モータ５５、５６、５７は、ロボット制御部５８によってその回転が制御される。ロボット制御部５８には、被介護者に対してその人に固有の床擦れ防止動作を実現できるように、当該介護者に固有のプログラムを記憶させることができる。
【００７０】
図１１に示したように、駆動モータ５７側のべベルギア５９と回転駆動体５２側のべベルギア６０とが噛み合っている。回転駆動体５２側のべベルギア６０の中央部にはスプライン溝を含む貫通孔６１が形成されており、この貫通孔６１に回転駆動軸６２が、第３軸線Ｌ３に沿って移動可能に挿通されている。この回転駆動軸６２は、べベルギア６０の貫通孔に対してスプライン嵌合しており、これにより回転駆動軸６２は、べベルギア６０に対して、第３軸線Ｌ３周りの回転が阻止されると共に、第３軸線Ｌ３に沿った直動動作が許容される。
【００７１】
回転駆動軸６２の一方の端部には回転駆動体５２が装着されており、回転駆動軸６２の他方の端部には、エアシリンダ６３のピストン６４の先端部が、ベアリング６５を介して接続されている。エアシリンダ６３を駆動してピストン６４を進出させることにより、回転駆動軸６２と共に回転駆動体５２が第３軸線Ｌ３に沿って前進する。
【００７２】
駆動モータ５７を駆動すると、その回転駆動力が、駆動モータ５７側のべベルギア５９から回転駆動体５２側のべベルギア６０に伝達される。回転駆動体５２の回転駆動軸６２とべベルギア６０とはスプライン嵌合しているので、べベルギア６０の回転駆動力が回転駆動軸６２に伝達され、回転駆動軸６２と一体に回転駆動体５２が回転する。
【００７３】
次に、図１２乃至図１４を参照して、ベッド基台４側の駆動力入力ポート７とロボットアーム６側の回転駆動体５２とを接続するための接続機構について説明する。
【００７４】
エアシリンダ６３を駆動して、ロボットアーム６先端の回転駆動体５２を、ベッド基台４側の駆動力入力ポート７に接続する際には、回転駆動体５２の駆動力入力ポート７への位置決め誤差や、回転駆動体５２及び駆動力入力ポート７の機械公差分のズレ（偏心など）を吸収する必要があり、これをカップリングで行う必要がある。
【００７５】
そこで、本実施形態においては、図１２及び図１３に示したように、オルダムカップリングを採用することにより、このズレを吸収するようにしている。即ち、オルダムカップリングにおいては、そのハブ６６、６７の突起がスライダ６８の溝を滑ることでズレが吸収される（図１４参照）。なお、ハブ６６及びスライダ６８が回転駆動体５２を構成し、ハブ６７が駆動力入力ポート７を構成している。
【００７６】
ここで、本実施形態における動力伝達装置５０においては、駆動側と被駆動側との脱着のため、スライダ６８は、ロボットアーム６側のハブ６６に水平方向をフリーに取り付け、カップリング時の軸方向の衝撃を緩和するために、ロボットアーム６側のハブ６６とスライダ６８との間にバネ６９を介装している。
【００７７】
次に、本実施形態による介護用ベッド１の動力伝達装置５０の動作例について説明する。
【００７８】
ロボットアーム６を駆動してアーム先端の回転駆動体５２を、所望の駆動力入力ポート７に対して向き合った状態となるように接近させて位置決めする。ロボットアーム６先端にあるエアシリンダ６３を駆動して、第３軸線Ｌ３に沿って回転駆動体５２を駆動力入力ポート７に向けて前進させ、両者を噛み合わせる。このとき、エアシリンダ６３のストローク長を検出して、回転駆動体５２と駆動力入力ポート７とが正常に噛み合ったことを確認する。
【００７９】
続いて、ロボットアーム６先端にある駆動モータ５７を駆動して、回転駆動体５２を回転させる。回転駆動体５２は駆動力入力ポート７に接続されているので、回転駆動体５２からの回転力が駆動力入力ポート７に伝達される。その結果、当該駆動力入力ポート７に対応する上面形成部材３の部位が所定の動作を行う。
【００８０】
所定量だけ駆動力入力ポート７を回転させたら、駆動モータ５７を停止する。エアシリンダ６３を駆動して回転駆動体５２を後退させて、回転駆動体５２と駆動力入力ポート７とを切り離す。ロボットアーム６を駆動して、回転駆動体５２を次の駆動力入力ポート７に移動して位置決めする。
【００８１】
次に、本実施形態による介護用ベッドの動作例、すなわち形状変更方法について説明する。
【００８２】
ロボットアーム６先端の回転駆動体５２を、１番目の駆動力入力ポート７Ａ（右膝に対応）に接続し、駆動モータ５７を回転させる。これにより、回転駆動体５２からの回転駆動力が、介護用ベッド１の上面形成部材３の右膝に対応する部位の駆動系に伝達される。その結果、右膝に対応する部位が山形形状に変形する。
【００８３】
駆動モータ５７の回転を止めた後、エアシリンダ６３を駆動して動力接続部（回転駆動体５２及び駆動力入力ポート７）を切り離し、ロボットアーム６を駆動して、２番目の駆動力入力ポート７Ｂ（腰Ａグループ上下に対応）にロボットアーム６先端の回転駆動体５２を接続する。
【００８４】
この状態で駆動モータ５７を回転させる。これにより、回転駆動体５２からの回転駆動力が、介護用ベッド１の上面形成部材３の腰Ａグループに対応する部位の上下駆動系に伝達される。その結果、腰Ａグループに対応する部位が上昇する。
【００８５】
駆動モータ５７の回転を止めた後、エアシリンダ６３を駆動して動力接続部を切り離し、ロボットアーム６を駆動して、３番目の駆動力入力ポート７Ｃ（腰Ａグループ水平に対応）にロボットアーム６先端の回転駆動体５２を接続する。
【００８６】
この状態で駆動モータ５７を回転させる。これにより、回転駆動体５２からの回転駆動力が、介護用ベッド１の上面形成部材３の腰Ａグループに対応する部位の水平駆動系に伝達される。その結果、腰Ａグループに対応する部位が水平動作する。
【００８７】
駆動モータ５７の回転を止めた後、エアシリンダ６３を駆動して動力接続部を切り離し、ロボットアーム６を駆動して、４番目の駆動力入力ポート７Ｄ（肩Ａグループ上下に対応）にロボットアーム６先端の回転駆動体５２を接続する。
【００８８】
この状態で駆動モータ５７を回転させる。これにより、回転駆動体５２からの回転駆動力が、介護用ベッド１の上面形成部材３の肩Ａグループに対応する部位の上下駆動系に伝達される。その結果、肩Ａグループに対応する部位が上昇する。
【００８９】
駆動モータ５７の回転を止めた後、エアシリンダ６３を駆動して動力接続部を切り離し、ロボットアーム６を駆動して、５番目の駆動力入力ポート７Ｅ（肩Ａグループ水平に対応）にロボットアーム６先端の回転駆動体５２を接続する。
【００９０】
この状態で駆動モータ５７を回転させる。これにより、回転駆動体５２からの回転駆動力が、介護用ベッド１の上面形成部材３の肩Ａグループに対応する部位の水平駆動系に伝達される。その結果、肩Ａグループに対応する部位が水平動作する。
【００９１】
駆動モータ５７の回転を止めた後、エアシリンダ６３を駆動して動力接続部を切り離し、ロボットアーム６を駆動して、３番目の駆動力入力ポート７Ｃ（腰Ａグループ水平に対応）にロボットアーム６先端の回転駆動体５２を接続する。
【００９２】
この状態で駆動モータ５７を回転させる。これにより、回転駆動体５２からの回転駆動力が、介護用ベッド１の上面形成部材３の腰Ａグループに対応する部位の水平駆動系に伝達される。その結果、腰Ａグループに対応する部位が、さらに水平動作する。
【００９３】
駆動モータ５７の回転を止めた後、エアシリンダ６３を駆動して動力接続部を切り離し、ロボットアーム６を駆動して、５番目の駆動力入力ポート７Ｅ（肩Ａグループ水平に対応）にロボットアーム６先端の回転駆動体５２を接続する。
【００９４】
この状態で駆動モータ５７を回転させる。これにより、回転駆動体５２からの回転駆動力が、介護用ベッド１の上面形成部材３の肩Ａグループに対応する部位の水平駆動系に伝達される。その結果、肩Ａグループに対応する部位が、さらに水平動作する。
【００９５】
以上のようにロボットに教示して、被介護者に合った床ずれ防止動作をプログラミングする。上記の動作例は、肩部と腰部の体幹を左にずらす場合であるが、さらにこれから右に体幹をずらし換えるには、上記の手順を逆にして、一旦体幹を真っ直ぐに戻し、さらに左膝に対応する駆動力入力ポートを選択して体位変更を行う。
【００９６】
なお、上下動作の上と下の方向、及び水平動作の右方向と左方向の切換えは、駆動モータ５７の正転・逆転で切り替える。
【００９７】
以上述べたように、本実施形態による動力伝達装置５０を備えた介護用ベッド１およびその形状変更方法によれば、被介護者の体をベッド上面２の湾曲面で下から支持した状態で、被介護者の体を水平方向に移動させるようにしたので、被介護者の体を自然な状態で優しくずらしていくことができるので、体幹のベッドへの重心点を変えることができ、結果的に自然な状態で体幹の優しい回転も期待できる。これにより、寝返り動作に近い自然な動きを実現して、体位変更時の被介護者の体への負担を極力抑制しつつ、床擦れを防止することができる。
【００９８】
また、ロボット制御部５８に予め組み込まれたプログラムによってロボットアーム６を駆動して、所定の床擦れ防止動作を自動的に行うようにしたので、深夜などに介護者が定期的に作業を行う必要がなく、介護者の精神的・肉体的な負担が解消され、被介護者にとっても、介護者に対する精神的な負担から解放される。
【００９９】
また、ロボットアーム６の位置決めにより、共通の回転駆動体５２によって、複数の駆動力入力ポート７へ選択的に回転駆動力を伝達するようにしたので、複数の異なる動作を実現するための駆動源が一つで済み、構成を簡素化することができる。
【０１００】
また、ロボットへの教示内容を変更することにより、駆動力の供給点（駆動力入力ポート７）の指定順序（シーケンス）を容易に変更することができるので、複数の異なる動作を実現する上での柔軟性を高めることができる。
【０１０１】
また、複数の駆動力入力ポート７に対する動力伝達の切替え機能を、ロボットアーム６自体が果たしているので、従来のような動力伝達先の切替えのためのクラッチ機構を不要とすることができる。
【０１０２】
次に、上記実施形態による介護用ベッド１およびその形状変更方法の一変形例としては、肩部領域９及び腰部領域１０の部分の上面形成部材３の左右方向への移動を、水平方向ではなく、上面形成部材３の湾曲面（ベッド上面２）に沿って行うようにしても良い。
【０１０３】
具体的には、図１５に示したように、上端に上面形成部材３が設けられた支持基部１５の下端部に、上面形成部材３の湾曲面と同じ曲率を持つ湾曲ラック２４Ａを設ける。この湾曲ラック２４Ａには、接続軸２６Ａの上端に設けられたべベルギア４８が噛み合っている。
【０１０４】
支持基部１５の下端部は、上面形成部材３の湾曲面（ベッド上面２）と同じ曲率で湾曲しており、例えば可動支持板１７の上端に設けた複数のローラ部材（図示せず）によって、支持基部１５の下端部をその湾曲面に沿って移動可能に支持する。
【０１０５】
この変形例においては、べベルギア４８を回転させることにより、上面形成部材３の湾曲面（ベッド上面２）に沿ってラック２４Ａが左右方向に移動する。これにより、上面形成部材３のベッド上面２が、その湾曲面に沿って左右方向に移動する。
【０１０６】
上記の通り本変形例においては、上面形成部材３のベッド上面２を、その湾曲面に沿って左右方向に移動するようにしたので、被介護者の体をベッド上面２の湾曲面で下から支持した状態で、局所的な応力の発生を抑制しつつ、被介護者の体をより一層自然な状態で回転させながら、優しくずらしていくことができる。これにより、寝返り動作により近い自然な動きを実現して、体位変更時の被介護者の体への負担を極力抑制しつつ、床擦れを防止することができる。
【０１０７】
上記実施形態の他の変形例としては、ロボットアーム６を、基端部６ａ及び先端部６ｂを含む１本のリンク部材によって構成することもできる。即ち、図１６及び図１７に示したように、１本のリンク部材４９の基端部がロボット主軸５１の上端部に装着されており、同リンク部材４９の先端部に回転駆動体５２が設けられている。
【０１０８】
また、複数の駆動力入力ポート７は、ロボット主軸５１の回転軸線（第１軸線Ｌ１）を中心とした仮想円上に配置されている。この構成においては、ロボット主軸５１の回転によってロボットアーム６が旋回し、ロボットアーム６の先端部の回転駆動体５２を所望の駆動力入力ポート７の正面に位置決めすることができる。
【０１０９】
なお、本変形例においても、回転駆動体５２と駆動力入力ポート７との接続機構は、上述した実施形態と同様である。
【０１１０】
上記実施形態の他の変形例としては、図１８に示したように、駆動力入力ポート７において、十字状の接続用凹部７ａを形成すると共に、回転駆動体５２において、十字状の接続用凸部５２ａを形成する。接続用凹部７ａと接続用凸部５２ａは、互いに緩やかに嵌り合う寸法及び形状を有している。
【０１１１】
また、図１８に示したように接続用凸部５２ａは、先細形状を有しており、一方、接続用凹部７ａは、接続用凸部５２ａの先細形状に対応する傾斜形状を有している。
【０１１２】
この接続方式においては、駆動力入力ポート７に形成された接続用凹部７ａに対して、その正面から回転駆動体５２の接続用凸部５２ａを嵌め入れる。このとき、接続用凸部５２ａの先細形状と接続用凹部７ａの傾斜形状とが係合することにより、回転駆動体５２の駆動力入力ポート７への位置決め誤差等を吸収する方向への位置決め機能が発揮され、自然な嵌合を達成することができる。
【０１１３】
上記実施形態の他の変形例としては、回転駆動体５２と駆動力入力ポート７との接続方式に関して、それらの接続を、回転軸線（第３軸線Ｌ３）に直交する方向に沿って両者を接近させて接続するように構成しても良い。
【０１１４】
具体的には、図１９に示したように、駆動力入力ポート７において、その直径方向に沿って接続用凹部７ａを形成すると共に、回転駆動体５２において、その直径方向に沿って接続用凸部５２ａを形成する。接続用凹部７ａと接続用凸部５２ａは、互いに緩やかに嵌り合う寸法及び形状を有している。
【０１１５】
この接続方式においては、図１９に示したように駆動力入力ポート７に形成された接続用凹部７ａに対して、その側面から回転駆動体５２の接続用凸部５２ａを嵌め入れることができる。このため、駆動力入力ポート７への接続に際して、回転駆動体５２をその回転軸線（第３軸線Ｌ３）方向に進出させる必要がなく、エアシリンダ６３等を省略して構造を簡素化することができる。
【０１１６】
上記実施形態の他の変形例としては、２台の介護用ベッド１の複数の駆動力入力ポート７を、共通のロボットアーム６の回転駆動体５２によって選択的に駆動するように構成しても良い。
【０１１７】
即ち、本変形例においては、図２０に示したように、介護用ベッド１の上面形成部材３と、その駆動機構（ロボットアーム部分を除く）とが、それぞれ二つずつ配置されている。ロボット主軸５１が垂直方向に配置されており、各駆動力入力ポート７も、べベルギア７０を介して垂直方向に配置されている。
【０１１８】
そして、本変形例においては、ロボットアーム６を水平方向に回転駆動して所望の駆動力入力ポート７に位置決めすることにより、一方の介護用ベッド１の複数の駆動力入力ポート７と、他方の介護用ベッド１の複数の駆動力入力ポート７とを、共通のロボットアーム６の回転駆動体５２によって選択的に回転駆動することができる。
【０１１９】
上記実施形態の他の変形例としては、ロボットアーム６先端の回転駆動体５２を進退させるための機構として、アーム先端にエアシリンダを設ける機構に代えて、ロボット主軸５１をその回転軸線に沿って移動させる機構を設けて、ロボット主軸５１の進出動作によってロボットアーム６全体を動かすようにしても良い。
【０１２０】
上記実施形態の他の変形例としては、回転駆動体５２と駆動力入力ポート７との接続機構に関して、回転駆動体５２を駆動力入力ポート７に対して進退駆動する方式に代えて、駆動力入力ポート７側にエアシリンダ等を設け、回転駆動体５２に対して駆動力入力ポート７を進退駆動するように構成することもできる。
【０１２１】
上記実施形態の他の変形例としては、動力接続部（駆動力入力ポート７及び回転駆動体５２）の接続方式に関して、上述したように凹部と凸部とを嵌合させる方式に代えて、ロボットアーム６先端の回転駆動体５２に摩擦板を設けると共に、駆動力入力ポート７にも摩擦板を設けても良い。
【０１２２】
この変形例においては、回転駆動体５２を回転させながら駆動力入力ポート７に押し付けることにより、両方の摩擦板を係合させて接続状態を達成する。このようにすれば、接続時に摩擦板同士の間に滑りがあるので、動力の伝達が滑らかになる。このため、上面形成部材３の動作も滑らかとなり、被介護者への負荷をより一層軽減することができる。
【０１２３】
また、動力接続部（駆動力入力ポート７及び回転駆動体５２）の他の接続方式としては、回転駆動体５２と駆動力入力ポート７とを磁力により接続する方式を採用しても良い。
【０１２４】
次に、上述した介護用ベッド１の動力伝達装置５０の各種変形例について説明する。
【０１２５】
上記実施形態では、ロボットアーム６の先端に駆動モータ５７を設置し、その回転駆動力を各駆動力入力ポート７に供給するようにしているが、この構成に代えて、ベッド基台４側に複数の駆動モータを上面形成部材３の各部位別に設置し、その駆動力を各部位に伝達する際のクラッチ切換をロボットアーム６で操作するようにしても良い。その場合、ベッド基台４側には、駆動力入力ポート７に代えて、クラッチを操作するスイッチが設置される。
【０１２６】
また、ベッド基台４側に駆動モータを一つ設置し、その駆動力を各部位に分配・伝達する際のクラッチの切換をロボットアーム６で操作するように構成しても良い。その場合、ベッド基台４側には、駆動力入力ポート７に代えて、クラッチを操作するスイッチが設置される。
【０１２７】
また、駆動源がロボット側にあるか、ベッド基台４側にあるかに関わらず、或いは駆動源の設置数が単数であるか、複数であるかに関わらず、駆動方式をモータ回転に代えて、エア駆動（エアバッグ、エアシリンダ等）とすることもできる。
【０１２８】
また、駆動力の切換機構としてのロボットを、ベッド基台４側に設置せずに、移動台車の上に載せることもできる。
【０１２９】
また、駆動力の切換機構としてロボットを使用せずに、例えばシーケンサにより切り換えるように構成することもできる。
【符号の説明】
【０１３０】
１  介護用ベッド
２  ベッド上面
３  上面形成部材
４  ベッド基台
５  駆動機構
６  ロボットアーム
６ａ  ロボットアームの基端部
６ｂ  ロボットアームの先端部
７  駆動力入力ポート
８  頭部領域
９  肩部領域
１０  腰部領域
１１  足部領域
１２  方形部材
１３  可動細長片
１４  可動矩形片
１５  支持基部
１６、１８、３７、４６  直動支持部材（リニアガイド）
１７  可動支持板
１９、２４、２４Ａ、３６、３８、４５  ラック
２０、２５、３５、３９、４４  ピニオン
２１、２６、３２、３４、４３  接続軸
２２、３３、４２  ウォームギア
２３、４０、４１  入力軸
２７、２８、４８、５９、６０、７０  べベルギア
２９、３１  プーリ
３０  ベルト
４７  押上部材
４９  リンク部材
５０  動力伝達装置
５１  ロボット主軸
５２  回転駆動体
５３  基端側リンク部材
５４  先端側リンク部材
５５、５６、５７  駆動モータ
５８  ロボット制御部
６１  貫通孔
６２  回転駆動軸
６３  エアシリンダ
６４  ピストン
６５  ベアリング
６６、６７  オルダムカップリングのハブ
６８  オルダムカップリングのスライダ
６９  バネ
Ｌ１  第１軸線
Ｌ２  第２軸線
Ｌ３  第３軸線
【図１】
2014098247.tif 000003
【図２】
2014098247.tif 000004
【図３】
2014098247.tif 000005
【図４】
2014098247.tif 000006
【図５】
2014098247.tif 000007
【図６】
2014098247.tif 000008
【図７】
2014098247.tif 000009
【図８】
2014098247.tif 000010
【図９】
2014098247.tif 000011
【図１０】
2014098247.tif 000012
【図１１】
2014098247.tif 000013
【図１２】
2014098247.tif 000014
【図１３】
2014098247.tif 000015
【図１４】
2014098247.tif 000016
【図１５】
2014098247.tif 000017
【図１６】
2014098247.tif 000018
【図１７】
2014098247.tif 000019
【図１８】
2014098247.tif 000020
【図１９】
2014098247.tif 000021
【図２０】
2014098247.tif 000022
【国際調査報告】
2014098247.tif 000023
2014098247.tif 000024
2014098247.tif 000025
2014098247.tif 000026